(57)【要約】【課題】ビデオムービーやカメラなどの撮像レンズを備えた各種映像撮影機器におけるグリップ部において、そのグリップ部の弾性効果を高めることで、指に当たる部分の感触をソフトにし、ホールド性を向上させることができるグリップ構成を提供することを目的とする。【解決手段】グリップ部において、弾性の大きな樹脂材料１ａを用い、一体成形の１ｂの指があたる部分に孔をあけ、更にその１ａの内側に空間７を有することで、グリップしたときに指に当たる部分がすきま９の間で大きくたわみ指にあたる感触をソフトにし、ホールド性を向上させることができる。【選択図】  図２
2004302132.tif 000002
【特許請求の範囲】
【請求項１】
電子機器に設けられ使用者が把持するグリップ装置であって、使用者の指が当接するグリップ部に弾性変形する材料を用い、更にその樹脂材料の内側に中空を有することを特徴とするグリップ装置。
【請求項２】
グリップ部に弾性が大きい樹脂材料と弾性が小さい樹脂を一体成形された部材を用いかつ、指があたる部分に弾性が大きい樹脂材料を用いその内側は弾性の小さい樹脂をくりぬいた構成を特徴とする請求項１記載のグリップ装置。
【発明の詳細な説明】
【０００１】
【発明の属する技術分野】
本発明は、ビデオムービーやカメラなどの撮像レンズを備えた各種映像撮影機器におけるグリップ部の構造に関するものである。
【０００２】
【従来の技術】
ビデオムービーやカメラなどの撮像レンズを備えた各種映像撮影機器において、近年は小型化が進み、更に品格・デザインに対する要求が高く、操作性向上の両立が重要な課題となっている。特に、手に持って撮影する機器のため、手の平や指に触れる部分はグリップ部のホールド性考慮した形状や材料が用いられている。
【０００３】
以下に従来のグリップ装置について説明する。
【０００４】
図３（ａ）は従来のグリップ部を備えたビデオムービーの斜視図、図３（ｂ）はグリップ部を上側から見た上面図、図３（ｃ）、図３（ｄ）は図３（ｂ）で指示したグリップ部の断面構成図を示したものである。グリップ部の１１は指があたるグリップ部材で部材１２に固定されている。１１はグリップ部で、図３（ｃ）及び図３（ｄ）に示す通り、１１ａと１１ｂから構成されている。１１ａはグリップ時に指が当たる表面部、１１ｂはその内側の内部部材で、１１ａと１１ｂは一体成型されている。１１ａは１１ｂに対して弾性が大きい樹脂材料で、指にあたる感触をソフトにする効果を有する。又表面がシボ加工されており指がすべりにくく、握ったときのホールド効果を向上させる効果がある。１１ｂは柔らかく固定しにくい１１ａを固定する機能とかつ部材１２に固定する機能を有している。
【０００５】
【特許文献１】
特開平８−１１６４７６号公報
【０００６】
【発明が解決しようとする課題】
しかしながら、従来のグリップ部の構成では、指が当接する表面部１１ａの裏側に内部部材１１ｂが一体成型で密着固定されており、内部部材１１ｂは弾性が小さいためにたわみにくく、表面部１１ａの弾性部材が厚さ１３の間のみでたわむ構成になっている。つまり指があたったときの弾性効果が表面部１１ａの弾性と厚みのみでたわみ量が決まるため、指にあたる感触をソフトにする効果が低いという問題を有していた。
【０００７】
本発明は前記課題を解決するもので、ホールドしたときに指に当たる部分をの弾性効果を高め、指にあたる感触をよりソフトにし、ホールド感を向上させるグリップ装置を提供することを目的とする。
【０００８】
【課題を解決するための手段】
この目的を達成するために本発明のグリップ装置は、ビデオムービーやカメラなどの撮像レンズを備えた各種映像撮影機器において、グリップ部に弾性のある樹脂材料を用い、更にその樹脂材料の内側に空間を備えた構成を有している。
【０００９】
この構成によって、機器をホールドしたときに指に当たる部分をの弾性効果を高め、ホールド感を向上させるグリップ装置を提供することができる。
【００１０】
【発明の実施の形態】
本発明の請求項１に記載の発明は、ビデオムービーやカメラなどの撮像レンズを備えた各種映像撮影機器において、グリップ部に弾性のある樹脂材料を用い、更にその樹脂材料の内側に空間を有することを特徴としたものであり、機器をホールドしたときに指に当たる部分の弾性効果を高め、指にあたる感触をソフトにする効果を高め、ホールド感を向上させることができるという作用を有する。
【００１１】
本発明の請求項２に記載の発明は、グリップ部に弾性が大きい樹脂材料と弾性が小さい樹脂を一体成形された部材を用いたことを特徴としたものであり、弾性が大きいが固定しにくい樹脂部材を弾性の小さい部材と一体成型することによりグリップ部材として指に当たる部分以外の剛性を増しグリップ部材をとりつける相手物に対して取り付けを容易にすることができるという作用を有する。
【００１２】
以下、本発明の実施の形態について、図面を用いて説明する。
【００１３】
（実施の形態）
図１は本発明のグリップ装置の分解構成斜視図である。
【００１４】
図において、１は本発明のグリップ装置を有すグリップ部材で、グリップ部の外観部で指が直接触れる表面部１ａと、その表面部１ａと一体成型により取り付いている内面部１ｂから成る。表面部１ａは弾性が大きい樹脂材料で、２の部分は指が当たる部分でホールドしやすいように凹形状になっている。内面部１ｂは表面部１ａの内側に一体成型されており、弾性が大きく柔らかい表面部１ａと、グリップ部材１が取り付く筐体４とさらにその内側にあるフレーム部材５とビス６により固定されている。又、内面部１ｂの孔３の部分は孔があいており、凹部２の裏側にその孔部３がくるように構成されている。
【００１５】
以上のように構成されたグリップ装置について、図２（ａ）〜（ｄ）を用いてその動作について説明する。
【００１６】
図２（ａ）は本発明の実施の形態におけるグリップ装置を有するビデオカメラの全体斜視図であり、図２（ｂ）はそのグリップ装置を有するビデオカメラの上面図、図２（ｃ）と図２（ｄ）はそのグリップ装置を有するビデオカメラのグリップ部断面図である。
【００１７】
７は中空部で、凹部２の内側であり、隙間９がある空間である。指でグリップ部１をにぎったときに、表面部１ａの凹部２の内側は、内面部１ｂの材料に孔があいている。よって弾性が大きい樹脂材料からなる表面部１ａは、内面図１ｂに影響されずに、中空部７の部分の隙間９間でたわむことができる。
【００１８】
以上のような本実施の形態によれば、グリップ部１に弾性の大きな樹脂材料を用い、更にその樹脂材料の内側に空間を有する構成にすることにより、指でグリップ部１をにぎったときにグリップ部１が大きくたわむため、ホールドしたときに指に当たる部分をの弾性効果を高め、指にあたる感触をよりソフトにし、ホールド感を向上させることができる。
【００１９】
【発明の効果】
以上のように本発明は、指でグリップ部をにぎったときにグリップ部が大きくたわむため、ホールドしたときに指に当たる部分をの弾性効果を高め、指にあたる感触をよりソフトにし、ホールド感を向上させるという優れた効果が得られる。
【図面の簡単な説明】
【図１】本発明のグリップ装置の分解構成斜視図
【図２】（ａ）本発明のグリップ装置を有するビデオカメラの全体斜視図
（ｂ）本発明のグリップ装置を有するビデオカメラの上面図および断面指示図
（ｃ）本発明のグリップ装置を有するビデオカメラのグリップ部断面図（ＳＥＣ．Ａ−Ａ）
（ｄ）本発明のグリップ装置を有するビデオカメラのグリップ部断面図（ＳＥＣ．Ｂ−Ｂ）
【図３】（ａ）従来のグリップ装置を有するビデオカメラの全体斜視図
（ｂ）従来のグリップ装置を有するビデオカメラの上面図および断面指示図
（ｃ）従来のグリップ装置を有するビデオカメラのグリップ部断面図（ＳＥＣ．Ａ−Ａ）
（ｄ）従来のグリップ装置を有するビデオカメラのグリップ部断面図（ＳＥＣ．Ｂ−Ｂ）
【符号の説明】
１  グリップ部
１ａ  表面部
１ｂ  内面部
２  凹部
３  孔
４  筐体
５  フレーム部材
６  ビス
７  中空部
【図１】
2004302132.tif 000003
【図２】
2004302132.tif 000004
【図３】
2004302132.tif 000005